(57)【要約】本発明は、販売者の端末により、商品の販売価格、販売目標期間、及び販売目標数量のうち少なくとも一つが入力され、前記販売目標期間の間、前記販売目標数量の商品が販売されたら成功するイベントが設定され、前記イベントが成功したら前記購買者に分配すべき分配利益金の金額、分配利益金分配方式、及び分配利益金分配割合のうち少なくとも一つが入力されるイベント設定部と、前記購買者の端末により、前記商品の決済が行われる商品決済部と、前記イベントを活性化させ、前記商品決済部で行われた前記商品の決済の数が前記販売目標数量に到逹したか否かを確認するイベント管理部と、前記イベント管理部により、前記イベントが成功したと確認されると、前記購買者に前記分配利益金を支給する利益金分配部と、を含む。
2019508806.tif 000002
【特許請求の範囲】
【請求項１】
販売者の端末により、商品の販売価格、販売目標期間、及び販売目標数量のうち少なくとも一つが入力され、前記販売目標期間の間、前記販売目標数量の商品が販売されたら成功するイベントが設定され、前記イベントが成功したら購買者に分配すべき分配利益金の金額、分配利益金分配方式、及び分配利益金分配割合のうち少なくとも一つが入力されるイベント設定部と、
前記購買者の端末により、前記商品の決済が行われる商品決済部と、
前記イベントを活性化させ、前記商品決済部で行われた前記商品の決済の数が前記販売目標数量に到逹したか否かを確認するイベント管理部と、
前記イベント管理部により、前記イベントが成功したと確認されると、前記購買者に前記分配利益金を支給する利益金分配部と、
を含むことを特徴とする商品販売促進システム。
【請求項２】
前記イベント管理部は、前記イベントの活性化前、前記イベント活性化の開始日及び開始時間を知らせるイベント報知メッセージを、前記商品販売促進システムに加入した会員の端末に送信する、
ことを特徴とする請求項１に記載の商品販売促進システム。
【請求項３】
前記イベント管理部は、前記イベント活性化の開始時間から待ち時間が経過した後、前記イベントが活性化される、
ことを特徴とする請求項１に記載の商品販売促進システム。
【請求項４】
前記イベント設定部では、前記販売者の端末により、前記販売価格よりも低い金額の報奨金が入力され、
前記イベント管理部で行われる前記決済は、前記報奨金の決済又は前記販売価格の決済である、
ことを特徴とする請求項１に記載の商品販売促進システム。
【請求項５】
前記商品販売促進システムは、
前記決済により発生した決済代金が預け入れられるシステム口座部と、
前記商品販売促進システムに加入した会員に割り当てられ、電子マネー及び現金のうち少なくとも一つが積み立てられる会員口座部と、をさらに含む、
ことを特徴とする請求項４に記載の商品販売促進システム。
【請求項６】
前記イベント活性化の開始前又は開始と同時に、前記分配利益金と同じ金額の前記販売者のイベント預け金が、前記販売者の会員口座部から前記システム口座部に送信される、
ことを特徴とする請求項５に記載の商品販売促進システム。
【請求項７】
前記イベント管理部は、前記報奨金のみを決済した購買者（以下、「報奨金決済購買者」という。）の端末に前記販売価格の追加決済要請を送信し、
前記商品決済部において、前記報奨金決済購買者の端末により前記販売価格が追加決済されると、前記システム口座部に預け入れられた金額から、前記販売価格を追加決済した前記報奨金決済購買者（以下、「販売価格追加決済購買者」という。）の会員口座部に、前記報奨金に該当する金額が送信される、
ことを特徴とする請求項６に記載の商品販売促進システム。
【請求項８】
前記商品販売促進システムは、
前記報奨金の決済なしに、前記販売価格を決済した購買者（以下、「販売価格決済購買者」という。）と前記販売価格追加決済購買者の配送住所を前記販売者の端末に送信する配送管理部をさらに含む、
ことを特徴とする請求項７に記載の商品販売促進システム。
【請求項９】
前記商品販売促進システムは、
前記販売価格決済購買者の端末と、前記販売価格追加決済購買者の端末に購買確定要請を発送し、前記販売価格決済購買者の端末と、前記販売価格追加決済購買者の端末から前記購買確定要請に対する応答を受信する購買確定管理部をさらに含むが、
前記応答が購買取消応答であれば、前記利益金分配部は、前記販売価格決済購買者及び前記販売価格追加決済購買者の会員口座部に前記販売価格に該当する金額を送信するが、前記イベント管理部により、前記イベントが成功したと確認されると、前記報奨金に該当する金額を減算した金額を送信する、
ことを特徴とする請求項８に記載の商品販売促進システム。
【請求項１０】
前記商品販売促進システムは、
前記販売価格決済購買者の端末と、前記販売価格追加決済購買者の端末に購買確定要請を発送し、前記販売価格決済購買者の端末と、前記販売価格追加決済購買者の端末から前記購買確定要請に対する応答を受信する購買確定管理部をさらに含むが、
前記応答が購買取消応答であれば、前記利益金分配部は、前記販売価格決済購買者及び前記販売価格追加決済購買者の会員口座部に、前記販売価格から前記報奨金に該当する金額を減算した金額を送信し、前記イベント管理部により、前記イベントが失敗したと確認されると、前記利益金分配部は、前記販売価格決済購買者及び前記販売価格追加決済購買者の会員口座部に前記報奨金に該当する金額を送信する、
ことを特徴とする請求項８に記載の商品販売促進システム。
【請求項１１】
前記前記商品販売促進システムは、
前記販売価格決済購買者の端末と、前記販売価格追加決済購買者の端末に購買確定要請を発送し、前記販売価格決済購買者の端末と、前記販売価格追加決済購買者の端末から前記購買確定要請に対する応答を受信する購買確定管理部をさらに含むが、
前記購買確定管理部が購買確定応答を受信し、前記イベント管理部により、前記イベントが成功したと確認されると、
前記利益金分配部は、前記分配利益金に対して、前記分配利益金分配方式と前記分配利益金分配割合を適用して、前記購買確定応答を行った前記販売価格決済購買者及び前記販売価格追加決済購買者（以下、「購買確定購買者」という。）に分配すべき個別分配利益金を確定し、
前記利益金分配部は、前記システム口座部に格納された金額から前記購買確定購買者の会員口座部に前記個別分配利益金を送信する、
ことを特徴とする請求項８に記載の商品販売促進システム。
【請求項１２】
前記商品販売促進システムは、
前記販売者の端末により、前記イベント設定部から前記報奨金が入力されるとき、前記販売者の端末に最小報奨金を知らせる最小報奨金計算部をさらに含むが、
前記最小報奨金は、前記イベントが成功したときに計算される前記個別分配利益金のうち、最も大きな金額を前記販売目標数量で除算した値である、
ことを特徴とする請求項１１に記載の商品販売促進システム。
【請求項１３】
前記商品販売促進システムは、
前記販売者の端末により、前記イベント設定部から前記報奨金が入力されるとき、前記販売者の端末に最小報奨金を知らせる最小報奨金計算部をさらに含むが、
前記最小報奨金は、前記イベント預け金を前記販売目標数量で除算した値である、
ことを特徴とする請求項１１に記載の商品販売促進システム。
【請求項１４】
前記分配利益金分配方式は、
決済順序により、前記購買確定購買者を順次配列する段階と、
前記分配利益金に前記分配利益金分配割合を乗算して得られた第１の個別分配利益金を、最も早い決済を行った第１の購買確定購買者に支給する段階と、
前記分配利益金から前記第１の個別分配利益金を減算して残った金額に前記分配利益金分配割合を乗算して得られた第２の個別分配利益金を、２番目に早い決済を行った第２の購買確定購買者に支給する段階と、を含む、
ことを特徴とする請求項１１に記載の商品販売促進システム。
【請求項１５】
前記会員口座部は、電子マネーが積み立てられる電子マネー口座を含み、
前記分配利益金分配方式は、
前記購買確定購買者の電子マネー口座に積み立てられた電子マネー金額と、前記購買確定購買者の決済回数を乗算した値（以下、「順位用電子マネー金額」という。）により、前記購買確定購買者を順次配列する段階と、
前記分配利益金に前記分配利益金分配割合を乗算して得られた第１の個別分配利益金を、最も多くの順位用電子マネー金額を有した第１の購買確定購買者に支給する段階と、
前記分配利益金から前記第１の個別分配利益金を減算して残った金額に前記分配利益金分配割合を乗算して得られた第２の個別分配利益金を、２番目に多くの順位用電子マネー金額を有した第２の購買確定購買者に支給する段階と、を含む、
ことを特徴とする請求項１１に記載の商品販売促進システム。
【請求項１６】
前記分配利益金分配方式は、
前記販売価格の決済順序により、前記購買確定購買者を順次配列する段階と、
前記分配利益金に前記分配利益金分配割合を乗算して得られた第１の個別分配利益金を、最も早く前記販売価格を決済した第１の購買確定購買者に支給する段階と、
前記分配利益金から前記第１の個別分配利益金を減算して残った金額に前記分配利益金分配割合を乗算して得られた第２の個別分配利益金を、２番目に早く前記販売価格を決済した第２の購買確定購買者に支給する段階と、を含む、
ことを特徴とする請求項１１に記載の商品販売促進システム。
【請求項１７】
前記分配利益金分配方式は、
購買確定応答順序により、前記購買確定購買者を順次配列する段階と、
前記分配利益金に前記分配利益金分配割合を乗算して得られた第１の個別分配利益金を、最も早い購買確定応答を行った第１の購買確定購買者に支給する段階と、
前記分配利益金から前記第１の個別分配利益金を減算して残った金額に前記分配利益金分配割合を乗算して得られた第２の個別分配利益金を、２番目に早い購買確定応答を行った第２の購買確定購買者に支給する段階と、を含む、
ことを特徴とする請求項１１に記載の商品販売促進システム。
【請求項１８】
前記決済時、前記利益金分配部は、前記決済を行った購買者を前記分配利益金分配方式により順次配列した予想分配順位を、前記決済を行った購買者の端末に送信する、
ことを特徴とする請求項５に記載の商品販売促進システム。
【請求項１９】
前記予想分配順位は、
前記決済の順序により、前記決済を行った購買者を順次配列した、
ことを特徴とする請求項１８に記載の商品販売促進システム。
【請求項２０】
前記予想分配順位は、
前記決済を行った購買者の会員口座部に含まれた電子マネー口座に積み立てられた電子マネー金額と、前記決済の回数を乗算した値の大きさにより、前記決済を行った購買者を順次配列した、
ことを特徴とする請求項１８に記載の商品販売促進システム。
【請求項２１】
前記予想分配順位は、
前記販売価格の決済順序により、前記決済を行った購買者を順次配列した、
ことを特徴とする請求項１８に記載の商品販売促進システム。
【請求項２２】
前記予想分配順位は、
前記決済を行った購買者が、購買確定管理部が前記決済を行った購買者の端末に送信した購買確定要請に対して購買確定応答を行った順序により、前記決済を行った購買者を順次配列した、
ことを特徴とする請求項１８に記載の商品販売促進システム。
【請求項２３】
商品販売促進システムを通じて販売者の商品を購買者が購買する商品販売促進方法において、
（ａ）イベント設定部において、前記販売者の端末により前記商品の販売価格、販売目標期間、及び販売目標数量のうち少なくとも一つが設定される段階と、
（ｂ）前記イベント設定部において、前記販売者の端末により、前記販売目標期間の間、前記商品の前記販売目標数量が達成されたら成功するイベントが設定され、前記イベントが成功したら前記購買者に分配すべき分配利益金の金額、分配利益金分配方式、及び分配利益金分配割合のうち少なくとも一つが入力される段階と、
（ｃ）イベント管理部が前記イベントを活性化させる段階と、
（ｄ）商品決済部において、前記購買者の端末により前記商品の決済が行われる段階と、
（ｅ）前記イベント管理部により、前記商品決済部で行われた前記商品の決済の数が前記販売目標数量に到逹したか否かを確認する段階と、
（ｆ）前記イベント管理部により、前記イベントが成功したと確認されると、利益金分配部が前記購買者に前記分配利益金を支給する段階と、を含む、
ことを特徴とする商品販売促進方法。
【請求項２４】
前記商品販売促進方法は、
前記（ｃ）段階の前、
前記イベント管理部が、前記イベント活性化の開始日及び開始時間を知らせるイベント報知メッセージを、前記商品販売促進システムに加入した会員の端末に送信する段階をさらに含む、
ことを特徴とする請求項２３に記載の商品販売促進方法。
【請求項２５】
前記（ｃ）段階は、
前記イベント管理部が、前記イベント活性化の開始時間から待ち時間が経過した後、前記イベントを活性化させる段階を含む、
ことを特徴とする請求項２３に記載の商品販売促進方法。
【請求項２６】
前記商品販売促進方法は、
前記（ｃ）段階の前、
前記イベント設定部において、前記販売者の端末により前記販売価格よりも低い金額の報奨金が入力される段階をさらに含むが、前記イベント管理部で行われる前記決済は、前記報奨金の決済又は前記販売価格の決済である、
ことを特徴とする請求項２３に記載の商品販売促進方法。
【請求項２７】
前記商品販売促進方法は、
前記（ｃ）段階の前又は前記（ｃ）段階と同時に、
前記分配利益金と同じ金額の前記販売者のイベント預け金が、前記販売者の会員口座部からシステム口座部に送信される段階をさらに含む、
ことを特徴とする請求項２６に記載の商品販売促進方法。
【請求項２８】
前記商品販売促進方法は、
前記（ｄ）段階の後、
前記決済により発生した決済代金が前記システム口座部に預け入れられる段階をさらに含む、
ことを特徴とする請求項２７に記載の商品販売促進方法。
【請求項２９】
前記（ｄ）段階は、
前記商品決済部において、前記購買者の端末により、前記商品の報奨金の決済が行われる段階と、
前記イベント管理部が前記報奨金のみを決済した購買者（以下、「報奨金決済購買者」という。）の端末に前記販売価格の追加決済要請を送信する段階と、
前記商品決済部において、前記報奨金決済購買者の端末により、前記販売価格が追加決済される段階と、
前記システム口座部に預け入れられた金額から、前記販売価格を追加決済した前記報奨金決済購買者（以下、「販売価格追加決済購買者」という。）の会員口座部に、前記報奨金に該当する金額が送信される段階と、を含む、
ことを特徴とする請求項２８に記載の商品販売促進方法。
【請求項３０】
前記商品販売促進方法は、
前記（ｄ）段階の後、
配送管理部が、前記販売価格を決済して前記商品を購買した購買者（以下、「販売価格決済購買者」という。）と前記販売価格追加決済購買者の配送住所を前記販売者の端末に送信する段階をさらに含む、
ことを特徴とする請求項２９に記載の商品販売促進方法。
【請求項３１】
前記商品販売促進方法は、
前記（ｄ）段階の後、
購買確定管理部が、前記販売価格決済購買者の端末と、前記販売価格追加決済購買者の端末に購買確定要請を発送する段階と、
前記購買確定管理部が、前記販売価格決済購買者の端末と、前記販売価格追加決済購買者の端末から送信される前記購買確定要請に対する応答を受信する段階と、
前記応答が購買取消応答であれば、前記利益金分配部は、前記販売価格決済購買者及び前記販売価格追加決済購買者の会員口座部に、前記販売価格に該当する金額を送信するが、前記イベント管理部により、前記イベントが成功したと確認されると、前記報奨金に該当する金額を減算した金額を送信する段階と、をさらに含む、
ことを特徴とする請求項３０に記載の商品販売促進方法。
【請求項３２】
前記商品販売促進方法は、前記（ｄ）段階の後、
購買確定管理部が、前記販売価格決済購買者の端末と、前記販売価格追加決済購買者の端末に購買確定要請を発送する段階と、
前記購買確定管理部が、前記販売価格決済購買者の端末と、前記販売価格追加決済購買者の端末から送信される前記購買確定要請に対する応答を受信する段階と、
前記応答が購買取消応答であれば、前記利益金分配部は、前記販売価格決済購買者及び前記販売価格追加決済購買者の会員口座部に、前記販売価格から前記報奨金に該当する金額を減算した金額を送信し、前記イベント管理部により、前記イベントが失敗したと確認されると、前記利益金分配部は、前記販売価格決済購買者及び前記販売価格追加決済購買者の会員口座部に、前記報奨金に該当する金額を送信する段階と、をさらに含む、
ことを特徴とする請求項３０に記載の商品販売促進方法。
【請求項３３】
前記商品販売促進方法は、
前記（ｄ）段階の後、
購買確定管理部が、前記販売価格決済購買者の端末と、前記販売価格追加決済購買者の端末に購買確定要請を発送する段階と、
前記購買確定管理部が、前記販売価格決済購買者の端末と、前記販売価格追加決済購買者の端末から送信される前記購買確定要請に対する応答を受信する段階と、をさらに含むが、
前記（ｆ）段階は、
前記購買確定管理部により購買確定応答が受信され、前記イベント管理部により、前記イベントが成功したと確認されると、前記利益金分配部が、前記分配利益金に対して前記分配利益金分配方式と前記分配利益金分配割合を適用して、前記購買確定応答を行った前記販売価格決済購買者及び前記販売価格追加決済購買者（以下、「購買確定購買者」という。）に分配すべき個別分配利益金を確定する段階と、
前記利益金分配部が、前記システム口座部に格納された金額から、前記購買確定購買者の会員口座部に前記個別分配利益金を送信する段階と、を含む、
ことを特徴とする請求項３０に記載の商品販売促進方法。
【請求項３４】
前記商品販売促進方法は、
前記イベント設定部において、前記販売者の端末により、前記販売価格よりも低い金額の報奨金が入力される段階の前、最小報奨金計算部が前記販売者の端末に最小報奨金を知らせる段階をさらに含むが、
前記最小報奨金は、前記イベントが成功したときに計算される前記個別分配利益金のうち、最も大きな金額を前記販売目標数量で除算した値である、
ことを特徴とする請求項３３に記載の商品販売促進方法。
【請求項３５】
前記商品販売促進方法は、
前記イベント設定部において、前記販売者の端末により、前記販売価格よりも低い金額の報奨金が入力される段階の前、最小報奨金計算部が前記販売者の端末に最小報奨金を知らせる段階をさらに含むが、
前記最小報奨金は、前記イベント預け金を前記販売目標数量で除算した値である、
ことを特徴とする請求項３３に記載の商品販売促進方法。
【請求項３６】
前記分配利益金分配方式は、
決済順序により、前記購買確定購買者を順次配列する段階と、
前記分配利益金に前記分配利益金分配割合を乗算して得られた第１の個別分配利益金を、最も早い決済を行った第１の購買確定購買者に支給する段階と、
前記分配利益金から前記第１の個別分配利益金を減算して残った金額に前記分配利益金分配割合を乗算して得られた第２の個別分配利益金を、２番目に早い決済を行った第２の購買確定購買者に支給する段階と、を含む、
ことを特徴とする請求項３３に記載の商品販売促進方法。
【請求項３７】
前記分配利益金分配方式は、
前記購買確定購買者の会員口座部に含まれた電子マネー口座に積み立てられた電子マネー金額と、前記購買確定購買者の決済回数を乗算した値（以下、「順位用電子マネー金額」という。）により、前記購買確定購買者を順次配列する段階と、
前記分配利益金に前記分配利益金分配割合を乗算して得られた第１の個別分配利益金を、最も多くの順位用電子マネー金額を有した第１の購買確定購買者に支給する段階と、
前記分配利益金から前記第１の個別分配利益金を減算して残った金額に前記分配利益金分配割合を乗算して得られた第２の個別分配利益金を、２番目に多くの順位用電子マネー金額を有した第２の購買確定購買者に支給する段階と、を含む、
ことを特徴とする請求項３３に記載の商品販売促進方法。
【請求項３８】
前記分配利益金分配方式は、
前記販売価格の決済順序により、前記購買確定購買者を順次配列する段階と、
前記分配利益金に前記分配利益金分配割合を乗算して得られた第１の個別分配利益金を、最も早く前記販売価格を決済した第１の購買確定購買者に支給する段階と、
前記分配利益金から前記第１の個別分配利益金を減算して残った金額に前記分配利益金分配割合を乗算して得られた第２の個別分配利益金を、２番目に早く前記販売価格を決済した第２の購買確定購買者に支給する段階と、を含む、
ことを特徴とする請求項３３に記載の商品販売促進方法。
【請求項３９】
前記分配利益金分配方式は、
購買確定応答順序により、前記購買確定購買者を順次配列する段階と、
前記分配利益金に前記分配利益金分配割合を乗算して得られた第１の個別分配利益金を、最も早い応答を行った第１の購買確定購買者に支給する段階と、
前記分配利益金から前記第１の個別分配利益金を減算して残った金額に前記分配利益金分配割合を乗算して得られた第２の個別分配利益金を、２番目に早い応答を行った第２の購買確定購買者に支給する段階と、を含む、
ことを特徴とする請求項３３に記載の商品販売促進方法。
【請求項４０】
前記（ｄ）段階は、
前記決済時、前記利益金分配部が、前記決済を行った購買者を前記分配利益金分配方式により順次配列した予想分配順位を、前記決済を行った購買者の端末に送信する段階を含む、
ことを特徴とする請求項２３に記載の商品販売促進方法。
【請求項４１】
前記予想分配順位は、
前記決済の順序により、前記決済を行った購買者を順次配列した、
ことを特徴とする請求項４０に記載の商品販売促進方法。
【請求項４２】
前記予想分配順位は、
前記決済を行った購買者の会員口座部に含まれた電子マネー口座に積み立てられた電子マネー金額と、前記決済の回数を乗算した値の大きさにより、前記決済を行った購買者を順次配列した、
ことを特徴とする請求項４０に記載の商品販売促進方法。
【請求項４３】
前記予想分配順位は、
前記販売価格の決済順序により、前記決済を行った購買者を順次配列した、
ことを特徴とする請求項４０に記載の商品販売促進方法。
【請求項４４】
前記予想分配順位は、
前記決済を行った購買者が、購買確定管理部が前記決済を行った購買者の端末に送信した購買確定要請に対して購買確定応答を行った順序により、前記決済を行った購買者を順次配列した、
ことを特徴とする請求項４０に記載の商品販売促進方法。
【発明の詳細な説明】
【技術分野】
【０００１】
本発明は、イベント成功による収益分配を用いた商品販売促進システム及び方法に係り、さらに詳しくは、販売者が設定した商品販売イベントが成功した場合、購買者に販売収益の一部を分配することにより、購買者の現金資産を増加させ、商品の販売を促進するようにする、商品販売促進システム及び方法に関する。
【背景技術】
【０００２】
従来の経済システムにおける消費行為は、消費により現金が支出されると、その現金に該当する商品が得られるものである。このような構造では、消費すればするほど、消費者の現金資産が減少する結果だけが発生するので、消費者が現金資産を増やし又は維持するためには、消費を減らすしかなくなる。
【０００３】
したがって、経済不況が始まると、消費者は、消費を減らし、これにより、商品販売が減少し、商品販売者にとっては、売出しが減るので、労働者を減らし、又は賃金を削減し、これにより、消費者は、減少した収入のため、さらに消費を減らすことになるという悪循環が繰り返される。
【０００４】
しかしながら、消費すればするほど現金資産が増えるなら、反対の現象が生じるであろう。消費者は、消費をさらに増やし、これにより商品販売が急増し、商品販売者にとっては、売出しが急増して労働者を増やし、賃金を上げ、これにより、消費者は、増えた収入をもって消費をさらに増やすであろう。このような経済システムが可能であれば、世界経済は、好況期が維持され続けるであろう。
【０００５】
したがって、消費すればするほど現金資産が増えるような経済構造を実現することができるシステムが必要である。
【発明の概要】
【発明が解決しようとする課題】
【０００６】
本発明の一実施例に係る商品販売促進システム及び方法は、販売者が設定した商品販売イベントが成功した場合、購買者に販売収益の一部を分配することにより、購買者の現金資産を増加させ、商品の販売を促進することができるようにする、商品販売促進システム及び方法を提供することを目的とする。
【０００７】
また、本発明の目的は、上述したことに限定されず、言及されていない他の目的は、下記の記載から通常の技術者にとって明確に理解されるであろう。
【課題を解決するための手段】
【０００８】
本発明の一実施例に係る商品販売促進システムは、販売者の端末により、商品の販売価格、販売目標期間、及び販売目標数量うち少なくとも一つが入力され、前記販売目標期間の間、前記販売目標数量の商品が販売されたら成功するイベントが設定され、前記イベントが成功したら前記購買者に分配すべき分配利益金の金額、分配利益金分配方式、及び分配利益金分配割合のうち少なくとも一つが入力されるイベント設定部と、前記購買者の端末により、前記商品の決済が行われる商品決済部と、前記イベントを活性化させ、前記商品決済部で行われた前記商品の決済の数が前記販売目標数量に到逹したか否かを確認するイベント管理部と、前記イベント管理部により、前記イベントが成功したと確認されると、前記購買者に前記分配利益金を支給する利益金分配部と、を含むことができる。
【０００９】
前記イベント管理部は、前記イベントの活性化前、前記イベント活性化の開始日及び開始時間を知らせるイベント報知メッセージを、前記商品販売促進システムに加入した会員の端末に送信することができる。
【００１０】
前記イベント管理部は、前記イベント活性化の開始時間から待ち時間が経過した後、前記イベントが活性化されるものであってもよい。
【００１１】
前記イベント設定部では、前記販売者の端末により、前記販売価格よりも低い金額の報奨金が入力され、前記イベント管理部で行われる前記決済は、前記報奨金の決済又は前記販売価格の決済であってもよい。
【００１２】
前記商品販売促進システムは、前記決済により発生した決済代金が預け入れられるシステム口座部と、前記商品販売促進システムに加入した会員に割り当てられ、電子マネー及び現金のうち少なくとも一つが積み立てられる会員口座部と、をさらに含むことができる。
【００１３】
前記イベント活性化の開始前又は開始と同時に、前記分配利益金と同じ金額の前記販売者のイベント預け金が、前記販売者の会員口座部から前記システム口座部に送信されてもよい。
【００１４】
前記イベント管理部は、前記報奨金のみを決済した購買者（以下、「報奨金決済購買者」という。）の端末に前記販売価格の追加決済要請を送信し、前記商品決済部において、前記報奨金決済購買者の端末により前記販売価格が追加決済されると、前記システム口座部に預け入れられた金額から、前記販売価格を追加決済した前記報奨金決済購買者（以下、「販売価格追加決済購買者」という。）の会員口座部に、前記報奨金に該当する金額が送信されてもよい。
【００１５】
前記商品販売促進システムは、前記報奨金の決済なしに、前記販売価格を決済した購買者（以下、「販売価格決済購買者」という。）と前記販売価格追加決済購買者の配送住所を前記販売者の端末に送信する配送管理部をさらに含むことができる。
【００１６】
前記商品販売促進システムは、前記販売価格決済購買者の端末と、前記販売価格追加決済購買者の端末に購買確定要請を発送し、前記販売価格決済購買者の端末と、前記販売価格追加決済購買者の端末から前記購買確定要請に対する応答を受信する購買確定管理部をさらに含むが、前記応答が購買取消応答であれば、前記利益金分配部は、前記販売価格決済購買者及び前記販売価格追加決済購買者の会員口座部に前記販売価格に該当する金額を送信するが、前記イベント管理部により、前記イベントが成功したと確認されると、前記報奨金に該当する金額を減算した金額を送信することができる。
【００１７】
前記商品販売促進システムは、前記販売価格決済購買者の端末と、前記販売価格追加決済購買者の端末に購買確定要請を発送し、前記販売価格決済購買者の端末と、前記販売価格追加決済購買者の端末から前記購買確定要請に対する応答を受信する購買確定管理部をさらに含むが、前記応答が購買取消応答であれば、前記利益金分配部は、前記販売価格決済購買者及び前記販売価格追加決済購買者の会員口座部に、前記販売価格から前記報奨金に該当する金額を減算した金額を送信し、前記イベント管理部により、前記イベントが失敗したと確認されると、前記利益金分配部は、前記販売価格決済購買者及び前記販売価格追加決済購買者の会員口座部に前記報奨金に該当する金額を送信することができる。
【００１８】
前記商品販売促進システムは、前記販売価格決済購買者の端末と、前記販売価格追加決済購買者の端末に購買確定要請を発送し、前記販売価格決済購買者の端末と、前記販売価格追加決済購買者の端末から前記購買確定要請に対する応答を受信する購買確定管理部をさらに含むが、前記購買確定管理部が購買確定応答を受信し、前記イベント管理部により、前記イベントが成功したと確認されると、前記利益金分配部は、前記分配利益金に対して、前記分配利益金分配方式と前記分配利益金分配割合を適用して、前記購買確定応答を行った前記販売価格決済購買者及び前記販売価格追加決済購買者（以下、「購買確定購買者」という。）に分配すべき個別分配利益金を確定し、前記利益金分配部は、前記システム口座部に格納された金額から前記購買確定購買者の会員口座部に前記個別分配利益金を送信することができる。
【００１９】
前記商品販売促進システムは、前記販売者の端末により、前記イベント設定部から前記報奨金が入力されるとき、前記販売者の端末に最小報奨金を知らせる最小報奨金計算部をさらに含むが、前記最小報奨金は、前記イベントが成功したときに計算される前記個別分配利益金のうち、最も大きな金額を前記販売目標数量で除算した値であってもよい。
【００２０】
前記商品販売促進システムは、前記販売者の端末により、前記イベント設定部から前記報奨金が入力されるとき、前記販売者の端末に最小報奨金を知らせる最小報奨金計算部をさらに含むが、前記最小報奨金は、前記イベント預け金を前記販売目標数量で除算した値であってもよい。前記分配利益金分配方式は、決済順序により、前記購買確定購買者を順次配列する段階と、前記分配利益金に前記分配利益金分配割合を乗算して得られた第１の個別分配利益金を、最も早い決済を行った第１の購買確定購買者に支給する段階と、前記分配利益金から前記第１の個別分配利益金を減算して残った金額に前記分配利益金分配割合を乗算して得られた第２の個別分配利益金を、２番目に早い決済を行った第２の購買確定購買者に支給する段階と、を含むことができる。
【００２１】
前記会員口座部は、電子マネーが積み立てられる電子マネー口座を含み、前記分配利益金分配方式は、前記購買確定購買者の電子マネー口座に積み立てられた電子マネー金額と、前記購買確定購買者の決済回数を乗算した値（以下、「順位用電子マネー金額」という。）により、前記購買確定購買者を順次配列する段階と、前記分配利益金に前記分配利益金分配割合を乗算して得られた第１の個別分配利益金を、最も多くの順位用電子マネー金額を有した第１の購買確定購買者に支給する段階と、前記分配利益金から前記第１の個別分配利益金を減算して残った金額に前記分配利益金分配割合を乗算して得られた第２の個別分配利益金を、２番目に多くの順位用電子マネー金額を有した第２の購買確定購買者に支給する段階と、を含むことができる。
【００２２】
前記分配利益金分配方式は、前記販売価格の決済順序により、前記購買確定購買者を順次配列する段階と、前記分配利益金に前記分配利益金分配割合を乗算して得られた第１の個別分配利益金を、最も早く前記販売価格を決済した第１の購買確定購買者に支給する段階と、前記分配利益金から前記第１の個別分配利益金を減算して残った金額に前記分配利益金分配割合を乗算して得られた第２の個別分配利益金を、２番目に早く前記販売価格を決済した第２の購買確定購買者に支給する段階と、を含むことができる。
【００２３】
前記分配利益金分配方式は、購買確定応答順序により、前記購買確定購買者を順次配列する段階と、前記分配利益金に前記分配利益金分配割合を乗算して得られた第１の個別分配利益金を、最も早い購買確定応答を行った第１の購買確定購買者に支給する段階と、前記分配利益金から前記第１の個別分配利益金を減算して残った金額に前記分配利益金分配割合を乗算して得られた第２の個別分配利益金を、２番目に早い購買確定応答を行った第２の購買確定購買者に支給する段階と、を含むことができる。
【００２４】
前記決済時、前記利益金分配部は、前記決済を行った購買者を前記分配利益金分配方式により順次配列した予想分配順位を、前記決済を行った購買者の端末に送信することができる。
【００２５】
前記予想分配順位は、前記決済の順序により、前記決済を行った購買者を順次配列したものであってもよい。
【００２６】
前記予想分配順位は、前記決済を行った購買者の会員口座部に含まれた電子マネー口座に積み立てられた電子マネー金額と、前記決済の回数を乗算した値の大きさにより、前記決済を行った購買者を順次配列したものであってもよい。
【００２７】
前記予想分配順位は、前記販売価格の決済順序により、前記決済を行った購買者を順次配列したものであってもよい。
【００２８】
前記予想分配順位は、前記決済を行った購買者が、購買確定管理部が前記決済を行った購買者の端末に送信した購買確定要請に対して、購買確定応答を行った順序により、前記決済を行った購買者を順次配列したものであってもよい。
【００２９】
本発明の一実施例に係る商品販売促進方法において、（ａ）イベント設定部において、前記販売者の端末により前記商品の販売価格、販売目標期間、及び販売目標数量のうち少なくとも一つが設定される段階と、（ｂ）前記イベント設定部において、前記販売者の端末により、前記販売目標期間の間、前記商品の前記販売目標数量が達成されたら成功するイベントが設定され、前記イベントが成功したら前記購買者に分配すべき分配利益金の金額、分配利益金分配方式、及び分配利益金分配割合のうち少なくとも一つが入力される段階と、（ｃ）前記イベント管理部が前記イベントを活性化させる段階と、（ｄ）商品決済部において、前記購買者の端末により前記商品の決済が行われる段階と、（ｅ）前記イベント管理部により、前記商品決済部で行われた前記商品の決済の数が前記販売目標数量に到逹したか否かを確認する段階と、（ｆ）前記イベント管理部により、前記イベントが成功したと確認されると、前記利益金分配部が前記購買者に前記分配利益金を支給する段階と、を含むことができる。
【００３０】
前記商品販売促進方法は、前記（ｃ）段階の前、前記イベント管理部が、前記イベント活性化の開始日及び開始時間を知らせるイベント報知メッセージを、前記商品販売促進システムに加入した会員の端末に送信する段階をさらに含むことができる。
【００３１】
前記（ｃ）段階は、前記イベント管理部が、前記イベント活性化の開始時間から待ち時間が経過した後、前記イベントを活性化させる段階を含むことができる。
【００３２】
前記商品販売促進方法は、前記（ｃ）段階の前、前記イベント設定部において、前記販売者の端末により前記販売価格よりも低い金額の報奨金が入力される段階をさらに含むが、前記イベント管理部で行われる前記決済は、前記報奨金の決済又は前記販売価格の決済であってもよい。
【００３３】
前記商品販売促進方法は、前記（ｃ）段階の前又は前記（ｃ）段階と同時に、前記分配利益金と同じ金額の前記販売者のイベント預け金が、前記販売者の会員口座部からシステム口座部に送信される段階をさらに含むことができる。
【００３４】
前記商品販売促進方法は、前記（ｄ）段階の後、前記決済により発生した決済代金が前記システム口座部に預け入れられる段階をさらに含むことができる。
【００３５】
前記（ｄ）段階は、前記商品決済部において、前記購買者の端末により、前記商品の報奨金の決済が行われる段階と、前記イベント管理部が前記報奨金決済購買者の端末に前記販売価格の追加決済要請を送信する段階と、前記商品決済部において、前記報奨金決済購買者の端末により、前記販売価格が追加決済される段階と、前記システム口座部に預け入れられた金額から、前記販売価格追加決済購買者の会員口座部に、前記報奨金に該当する金額が送信される段階と、を含むことができる。
【００３６】
前記商品販売促進方法は、前記（ｄ）段階の後、配送管理部が、前記販売価格決済購買者と前記販売価格追加決済購買者の配送住所を前記販売者の端末に送信する段階をさらに含むことができる。
【００３７】
前記商品販売促進方法は、前記（ｄ）段階の後、購買確定管理部が、前記販売価格決済購買者の端末と、前記販売価格追加決済購買者の端末に購買確定要請を発送する段階と、前記購買確定管理部が、前記販売価格決済購買者の端末と、前記販売価格追加決済購買者の端末から送信される前記購買確定要請に対する応答を受信する段階と、前記応答が購買取消応答であれば、前記利益金分配部は、前記販売価格決済購買者及び前記販売価格追加決済購買者の会員口座部に、前記販売価格に該当する金額を送信するが、前記イベント管理部により、前記イベントが成功したと確認されると、前記報奨金に該当する金額を減算した金額を送信する段階と、をさらに含むことができる。
【００３８】
前記商品販売促進方法は、前記（ｄ）段階の後、購買確定管理部が、前記販売価格決済購買者の端末と、前記販売価格追加決済購買者の端末に購買確定要請を発送する段階と、前記購買確定管理部が、前記販売価格決済購買者の端末と、前記販売価格追加決済購買者の端末から送信される前記購買確定要請に対する応答を受信する段階と、前記応答が購買取消応答であれば、前記利益金分配部は、前記販売価格決済購買者及び前記販売価格追加決済購買者の会員口座部に、前記販売価格から前記報奨金に該当する金額を減算した金額を送信し、前記イベント管理部により、前記イベントが失敗したと確認されると、前記利益金分配部は、前記販売価格決済購買者及び前記販売価格追加決済購買者の会員口座部に、前記報奨金に該当する金額を送信する段階と、をさらに含むことができる。
【００３９】
前記商品販売促進方法は、前記（ｄ）段階の後、購買確定管理部が、前記販売価格決済購買者の端末と、前記販売価格追加決済購買者の端末に購買確定要請を発送する段階と、前記購買確定管理部が、前記販売価格決済購買者の端末と、前記販売価格追加決済購買者の端末から送信される前記購買確定要請に対する応答を受信する段階と、をさらに含むが、前記（ｆ）段階は、前記購買確定管理部により購買確定応答が受信され、前記イベント管理部により、前記イベントが成功したと確認されると、前記利益金分配部が、前記分配利益金に対して前記分配利益金分配方式と前記分配利益金分配割合を適用して、前記購買確定購買者に分配すべき個別分配利益金を確定する段階と、前記利益金分配部が、前記システム口座部に格納された金額から、前記購買確定購買者の会員口座部に前記個別分配利益金を送信する段階と、を含むことができる。
【００４０】
前記商品販売促進方法は、前記イベント設定部において、前記販売者の端末により、前記販売価格よりも低い金額の報奨金が入力される段階の前、最小報奨金計算部が前記販売者の端末に最小報奨金を知らせる段階をさらに含むが、前記最小報奨金は、前記イベントが成功したときに計算される前記個別分配利益金のうち、最も大きな金額を前記販売目標数量で除算した値であってもよい。
【００４１】
前記商品販売促進方法は、前記イベント設定部において、前記販売者の端末により、前記販売価格よりも低い金額の報奨金が入力される段階の前、最小報奨金計算部が前記販売者の端末に最小報奨金を知らせる段階をさらに含むが、前記最小報奨金は、前記イベント預け金を前記販売目標数量で除算した値であってもよい。
【００４２】
前記分配利益金分配方式は、決済順序により、前記購買確定購買者を順次配列する段階と、前記分配利益金に前記分配利益金分配割合を乗算して得られた第１の個別分配利益金を、最も早い決済を行った第１の購買確定購買者に支給する段階と、前記分配利益金から前記第１の個別分配利益金を減算して残った金額に前記分配利益金分配割合を乗算して得られた第２の個別分配利益金を、２番目に早い決済を行った第２の購買確定購買者に支給する段階と、を含むことができる。
【００４３】
前記分配利益金分配方式は、前記購買確定購買者の順位用電子マネー金額により、前記購買確定購買者を順次配列する段階と、前記分配利益金に前記分配利益金分配割合を乗算して得られた第１の個別分配利益金を、最も多くの順位用電子マネー金額を有した第１の購買確定購買者に支給する段階と、前記分配利益金から前記第１の個別分配利益金を減算して残った金額に前記分配利益金分配割合を乗算して得られた第２の個別分配利益金を、２番目に多くの順位用電子マネー金額を有した第２の購買確定購買者に支給する段階と、を含むことができる。
【００４４】
前記分配利益金分配方式は、前記販売価格の決済順序により、前記購買確定購買者を順次配列する段階と、前記分配利益金に前記分配利益金分配割合を乗算して得られた第１の個別分配利益金を、最も早く前記販売価格を決済した第１の購買確定購買者に支給する段階と、前記分配利益金から前記第１の個別分配利益金を減算して残った金額に前記分配利益金分配割合を乗算して得られた第２の個別分配利益金を、２番目に早く前記販売価格を決済した第２の購買確定購買者に支給する段階と、を含むことができる。
【００４５】
前記分配利益金分配方式は、購買確定応答順序により、前記購買確定購買者を順次配列する段階と、前記分配利益金に前記分配利益金分配割合を乗算して得られた第１の個別分配利益金を、最も早い応答を行った第１の購買確定購買者に支給する段階と、前記分配利益金から前記第１の個別分配利益金を減算して残った金額に前記分配利益金分配割合を乗算して得られた第２の個別分配利益金を、２番目に早い応答を行った第２の購買確定購買者に支給する段階と、を含むことができる。
【００４６】
前記（ｄ）段階は、前記決済時、前記利益金分配部が、前記決済を行った購買者を前記分配利益金分配方式により順次配列した予想分配順位を、前記決済を行った購買者の端末に送信する段階を含むことができる。
【００４７】
前記予想分配順位は、前記決済の順序により、前記決済を行った購買者を順次配列したものであってもよい。
【００４８】
前記予想分配順位は、前記決済を行った購買者の会員口座部に含まれた電子マネー口座に積み立てられた電子マネー金額と、前記決済の回数を乗算した値の大きさにより、前記決済を行った購買者を順次配列したものであってもよい。
【００４９】
前記予想分配順位は、前記販売価格の決済順序により、前記決済を行った購買者を順次配列したものであってもよい。
【００５０】
前記予想分配順位は、前記決済を行った購買者が、購買確定管理部が前記決済を行った購買者の端末に送信した購買確定要請に対して購買確定応答を行った順序により、前記決済を行った購買者を順次配列したものであってもよい。
【発明の効果】
【００５１】
本発明の一実施例に係る商品販売促進システム及び方法は、販売者が設定した商品販売イベントが成功した場合、購買者に販売収益の一部を分配することにより、購買者の現金資産を増加させ、商品の販売を促進することができるようにする効果を有する。
【００５２】
本発明の効果は、上述したことに限定されず、言及されていない他の効果は、下記の記載から通常の技術者にとって明確に理解されるであろう。
【図面の簡単な説明】
【００５３】
【図１】本発明の一実施例に係る商品販売促進システムの構成を概略的に示す図である。
【図２】本発明の一実施例に係る商品販売促進システムにおいて、商品が販売され、利益金が分配される過程を示すフローチャートであって、販売者が設定したイベントに対して購買者が報奨金を決済し、購買確定応答を行った場合を示す。
【図３】本発明の一実施例に係る商品販売促進システムにおいて、商品が販売され、利益金が分配される過程を示すフローチャートであって、図２のＳ２３０段階において、購買確定管理部が販売価格追加決済購買者から購買取消応答を受信した場合を示すフローチャートである。
【図４】本発明の一実施例に係る商品販売促進システムにおいて、商品が販売され、利益金が分配される過程を示すフローチャートであって、販売者が設定したイベントに対して、購買者が販売価格を決済し、購買確定応答を行った場合を示す。
【図５】本発明の一実施例に係る商品販売促進システムにおいて、商品が販売され、利益金が分配される過程を示すフローチャートであって、図４のＳ５００段階において、購買確定管理部が販売価格を決済した購買者から購買取消応答を受信した場合を示すフローチャートである。
【発明を実施するための形態】
【００５４】
以下、添付した図面を参照して、本発明の一実施例に係る商品販売促進システム及び方法について詳述する。本発明を説明するに当たって、通常の技術者に公知の機能又は構成については、詳細な説明を省略する。
【００５５】
図１は、本発明の一実施例に係る商品販売促進システムの構成を概略的に示す図である。
【００５６】
本発明の一実施例に係る商品販売促進システム１００は、イベント設定部１１０、商品決済部１２０、イベント管理部１３０、利益金分配部１４０、システム口座部１５０、会員口座部１６０、配送管理部１７０、購買確定管理部１８０、及び最小報奨金計算部１９０を含むことができる。
【００５７】
販売者は、販売者の端末１０を用いて、有・無線ネットワークを介して、商品販売促進システム１００にアクセスすることができる。購買者は、購買者の端末２０を用いて、有・無線ネットワークを介して商品販売促進システム１００にアクセスすることができる。販売者の端末１０と購買者の端末２０は、商品販売促進システム１００にアクセスしてデータを送受信する装置を意味し、例えばデスクトップＰＣ、ラップトップ型ＰＣ、スマートフォン、タブレット型ＰＣ等が、販売者の端末１０と購買者の端末２０として用いられ得る。しかし、販売者の端末１０と購買者の端末２０が例示した装置に限定されるのではない。
【００５８】
販売者及び購買者は、商品販売促進システム１００に加入された会員であり、商品販売促進システム１００の会員は、自分のアカウントと連結された電子マネー口座と現金口座を有することになる。電子マネー口座と現金口座は、会員口座部１６０に含まれる。電子マネー口座に預け入れられた電子マネーは、後述する分配利益金の分配時に分配基準として用いられ、分配利益金が電子マネーの形態で電子マネー口座に入金される。現金口座の現金は、電子マネー口座への振込みが可能であり、１：１で両替されて電子マネー口座に入金され得る。これに対して、電子マネー口座の電子マネーも、現金口座への振込みが可能であるが、この場合は、振込み金額の所定の割合に対して引出し手数料が賦課されることが好ましい。引出し手数料は、商品販売促進システム１００のシステム口座部１５０に振り込まれ、現金は、会員の現金口座に振り込まれ得る。
【００５９】
図２は、本発明の一実施例に係る商品販売促進システムにおいて、商品が販売され、利益金が分配される過程を示すフローチャートであって、販売者が設定したイベントに対して購買者が報奨金を決済し、購買確定応答を行った場合を示す。
【００６０】
販売者は、販売者の端末１０を介して商品販売促進システム１００にアクセスし、販売目標期間の間、商品の販売目標数量が達成されたら成功するイベントを設定するために、イベント設定メニューを選択する。イベント設定部１１０は、販売者の端末１０の上に、イベント条件値である商品の販売価格、販売目標期間、販売目標数量、報奨金、イベントが成功したら購買確定応答を行った購買者に分配すべき分配利益金、分配利益金分配方式、及び分配利益金分配割合を入力する入力画面をディスプレーし、販売者は、商品販売促進システム１００を通じて販売しようとする商品の販売価格、販売目標期間、販売目標数量、報奨金、分配利益金、分配利益金分配方式、及び分配利益金分配割合を販売者の端末１０を介して入力する。販売者の端末１０を介してイベント設定部１１０に入力された値は、イベント設定部１１０に保存されることにより、イベントが設定される（Ｓ１１０）。
【００６１】
報奨金は、販売価格よりも低い金額の金額に設定され、商品を購買しようとする購買者は、商品の販売価格を全て決済し、又は報奨金を決済することができる。イベント管理部１３０は、販売価格決済又は報奨金決済が行われると、決済確認証を発行し、決済確認証の数が販売目標数量に到逹すると、イベントが成功したものとみなす。すなわち、購買者は、イベント参加のために販売価格の全額を決済しても、又は報奨金のみを決済してもよい。
【００６２】
商品の販売価格、販売目標期間、販売目標数量、報奨金、分配利益金、分配利益金分配方式、及び分配利益金分配割合は、販売者により任意に決められてもよく、これらの一部は、商品販売促進システム１００により適切な値として提案されてもよく、これらの一部は、商品販売促進システム１００により最適化した値が予め計算され固定された値として提供されてもよい。
【００６３】
最小報奨金計算部１９０は、最小報奨金を計算することができ、計算された最小報奨金は、販売者の端末１０に送信される。
【００６４】
最小報奨金を、イベントが成功したときに計算される個別分配利益金のうち、最も大きな金額を販売目標数量で除算した値に決定することが好ましい。最小報奨金計算部１９０が推薦する最小報奨金（イベントが成功したときに計算される個別分配利益金のうち、最も大きな金額／販売目標数量）としてイベントを設定すると、イベントの成功後、最も大きな個別分配利益金を有する購買者のみを除いて、残りの購買者がみんな購買取消を行っても、報奨金により個別分配利益金の支給が可能となるので、販売者が損害を受けることはない。
【００６５】
また、最小報奨金を、イベント預け金を販売目標数量で除算した値に決定することも好ましい。後述するように、イベントの成功後、購買者が購買取消応答を行うと、購買者には、販売価格から報奨金を除いた金額が返金され、販売者には、報奨金が支給される。もし、最小報奨金計算部１９０が推薦する最小報奨金（イベント預け金／販売目標数量）としてイベントを設定すれば、イベントの成功後、全ての購買者が購買取消応答を行っても、イベント預け金と同じ金額の全体報奨金が全ての販売者に支給されるので、販売者は、イベント預け金の損害なしに取り戻すことになる。
【００６６】
イベント管理部１３０は、分配利益金に該当する金額をイベント預け金としてシステム口座部１５０に預け入れるようにとのメッセージを販売者の端末１０に送信する。販売者は、販売者の端末１０を介して自分のアカウントに連結された電子マネー口座又は現金口座から分配利益金と同じ金額のイベント預け金を、システム口座部１５０に送信することを、イベント管理部１３０に要請し、イベント管理部１３０は、販売者の電子マネー口座又は現金口座からイベント預け金をシステム口座部１５０に送信する（Ｓ１２０）。システム口座部１５０には、現金が送信されることが好ましく、電子マネー口座からシステム口座部１５０にイベント預け金が現金で送信される場合は、引出し手数料が発生するため、電子マネー口座からイベント預け金と引出し手数料に該当する金額が引き出される。
【００６７】
イベント管理部１３０は、イベントの活性化前、イベント活性化の開始日及び開始時間を知らせるイベント報知メッセージを、商品販売促進システム１００に加入した会員の端末に送信する（Ｓ１３０）。イベント活性化の開始日及び開始時間を予告することにより、商品販売促進システム１００の瞬間同時接続ユーザの数を相当に大きくする効果が得られる。このようなイベントを予告するイベント報知メッセージは、分配利益金分配方式が、決済順序（すなわち、決済確認証発行順序）、販売価格の決済順序、又は購買確定応答順序により、分配利益金を分配する方式である場合、公正な販売を保証することになる。すなわち、イベント情報を先に知った一部の購買者が、分配利益金分配順位において先順位を先占することが防がれる。
【００６８】
また、イベント管理部１３０は、イベントの活性化前、イベント活性化の開始可能期間を予告し、開始可能期間内において突発的にイベント活性化を開始してもよい。例えば２０１６年５月１日から５月８日までの間をイベント活性化の開始可能期間として会員に予告し、２０１６年５月３日１３時定刻に追加の予告なしにイベントを活性化することができる。
【００６９】
イベント管理部１３０は、販売者が販売者の端末１０を介してイベント設定部１１０で設定したイベントを活性化させる（Ｓ１４０）。イベント管理部１３０は、販売者がイベントを活性化させる前、販売者の端末１０にシステム使用手数料の入金を要請することができ、システム口座部１５０へのシステム使用手数料の入金が確認されると、イベントを活性化させる。
【００７０】
イベントは、イベントの活性化前、商品販売促進システム１００に加入した会員にイベント報知メッセージが送信されず、予告なしにイベントの開始日及び開始時間に活性化されることもできる。
【００７１】
イベント管理部１３０は、販売者が、販売者の端末１０を介して、イベント設定部１１０で設定したイベント活性化の開始時間に直ちにイベントが活性化されるものではなく、開始時間から所定の待ち時間の経過後、イベントが活性化されるようにすることもできる。これにより、分配利益金分配方式が、決済順序（すなわち、決済確認証発行順序）、販売価格の決済順序、又は購買確定応答順序により、分配利益金を分配する方式である場合、公正な販売を保証することができることになる。すなわち、所定の待ち時間の間、会員がイベントについて分かることになるので、イベント情報を先に知った一部の購買者が、分配利益金分配順位において先順位を先占することが防がれることになる。
【００７２】
イベントが活性化されると、購買者は、購買者の端末２０を介して商品を購買することになる。購買者は、報奨金のみを決済してもよく、販売価格を全部決済してもよい。以下、購買者が報奨金のみを決済した場合について説明する。
【００７３】
購買者は、商品を購買するために、購買者の端末２０を介して、商品決済部１２０が提供する決済画面において報奨金を決済し、商品決済部１２０により、報奨金決済代金がシステム口座部１５０に預け入れられる（Ｓ１５０）。ここで、報奨金決済代金は、購買者の電子マネー口座又は現金口座から引き出される現金、クレジットカード会社から送信されるカード売上金、携帯電話通信会社から送信される決済金等である。決済方式は、公知のオンライン決済方式であれば、いずれも適用可能であり、これについての詳細な説明を省略する。
【００７４】
報奨金決済が行われると、イベント管理部１３０は、決済確認証を発行し、購買者の端末２０に送信する（Ｓ１６０）。
【００７５】
イベント管理部１３０が各購買者の決済確認証を発行する度に、イベント管理部１３０は、イベント成功の可否を確認する（Ｓ１７０）。これは、報奨金を決済した購買者により販売目標数量が達成され、イベントが成功したかを確認するためである。報奨金を決済した購買者によりイベントが成功したことが確認されると、既に商品を購買し、購買確定応答を行った後、イベント成功を待っている他の購買者に分配利益金が分配され始める。分配利益金の分配の具体的な内容については、後述する。
【００７６】
イベント管理部１３０は、報奨金のみを決済した購買者（以下、「報奨金決済購買者」という。）の端末２０に、販売価格追加決済要請メッセージを送信する（Ｓ１８０）。
【００７７】
報奨金決済購買者は、販売価格追加決済要請メッセージを受け、購買者の端末２０を介して、商品決済部１２０が提供する決済画面において販売価格を追加決済する（Ｓ１９０）。もし、追加決済有效期間内に報奨金決済購買者の端末２０により販売価格が追加決済されなければ、イベント管理部１３０は、報奨金決済購買者が購買取消しを行ったと決定し、報奨金を販売者の現金口座に直ちに支給し、又はイベント終了後に支給してもよい。
【００７８】
報奨金決済購買者が販売価格を追加決済すると、イベント管理部１３０は、販売価格を追加決済した報奨金決済購買者（以下、「販売価格追加決済購買者」という。）に報奨金を返金する（Ｓ２００）。報奨金は、システム口座部１５０に格納された金額から引き出され、販売価格追加決済購買者の現金口座に送信される。
【００７９】
配送管理部１７０は、販売価格追加決済購買者の配送住所と決済確認証を販売者の端末１０に送信し、販売者をして販売価格追加決済購買者に商品を配送させる（Ｓ２１０）。配送方法としては、宅配又は直接受領が可能であり、直接受領時は、販売価格追加決済購買者が提示する決済確認証のバーコードを販売者がスキャンして、本人確認を行った後、商品を販売価格追加決済購買者に伝達する。
【００８０】
購買確定管理部１８０は、商品を配送され、又は商品を直接受領した販売価格追加決済購買者に購買確定要請を発送する（Ｓ２２０）。
【００８１】
購買確定管理部１８０は、販売価格追加決済購買者から購買確定要請に対する応答を受信する（Ｓ２３０）。購買確定要請に対する応答は、購買確定応答と購買取消応答のうち一つである。以下、購買確定要請に対する応答が購買確定応答である場合について説明する。
【００８２】
購買確定管理部１８０が、販売価格追加決済購買者から購買確定応答を受信すると、イベント管理部１３０は、イベント成功の可否を確認する（Ｓ２４０）。イベント管理部１３０が商品に対する決済（販売価格決済及び報奨金決済を全て含む。）により発行された決済確認証の数が販売目標数量に到逹したことを確認すると、イベントが成功したと判断し、利益金分配部１４０が、購買確定応答を行った販売価格追加決済購買者に分配利益金から計算された個別分配利益金を電子マネーで支給する（Ｓ２５０）。利益金分配部１４０は、分配利益金に対して分配利益金分配方式と分配利益金分配割合を適用して個別分配利益金を計算する。個別分配利益金は、システム口座部１５０に格納された金額から引き出され、購買確定応答を行った販売価格追加決済購買者の電子マネー口座に送信される。分配利益金は、電子マネーで支給されるものと説明しているが、購買確定応答を行った販売価格追加決済購買者の現金口座に現金で送信されることもできる。
【００８３】
利益金分配部１４０が個別分配利益金を支給した後（Ｓ２５０）、イベント管理部１３０は、総販売金額（販売価格と購買確定数量を乗算した金額）から支給済み個別分配利益金の合を減算して精算した販売金額を、販売者の現金口座に支給し（Ｓ２６０）、システム口座部１５０に預け入れられたイベント預け金も販売者の現金口座に返金する（Ｓ２７０）。ここで、Ｓ２５０、Ｓ２６０及びＳ２７０の段階は、順次進行するものと説明しているが、同時に進行しても、順序が入れ替えられて進行してもよい。
【００８４】
Ｓ２４０段階において、イベント管理部１３０が、商品に対する決済（販売価格決済及び報奨金決済を全て含む。）により発行された決済確認証の数が販売目標数量に到逹しなかったことを確認すると、イベントが失敗したことと判断する。イベントが失敗したら、個別分配利益金分配段階（Ｓ２５０）は実行されない。
【００８５】
イベントが失敗した場合、イベント管理部１３０は、総販売金額（販売価格と購買確定数量を乗算した金額）を販売者の現金口座に支給し（Ｓ２６０）、システム口座部１５０に預け入れられたイベント預け金も販売者の現金口座に返金する（Ｓ２７０）。ここで、Ｓ２６０及びＳ２７０の段階は、順次進行するものと説明しているが、同時に進行しても、順序が入れ替えられて進行してもよい。
【００８６】
図３は、図２のＳ２３０段階において、購買確定管理部１８０が販売価格追加決済購買者から購買取消応答を受信した場合を示すフローチャートであって、Ｓ１１０段階乃至Ｓ２２０段階までは、その構成が図２の構成と同一であるので、重複する説明を省略し、図２のＳ２３０段階（図３のＳ３１０段階に対応する）から詳述する。
【００８７】
購買確定管理部１８０は、販売価格追加決済購買者に購買確定要請を発送する（Ｓ２２０）。
【００８８】
購買確定管理部１８０は、販売価格追加決済購買者から購買確定要請に対する応答を受信する（Ｓ２３０）。購買確定要請に対する応答は、購買確定応答と購買取消応答のうち一つである。以下、購買確定要請に対する応答が購買取消応答である場合について説明する。購買取消応答とは、購買した商品が満足でないとき、払い戻そうとする購買者の意思表示である。
【００８９】
購買確定管理部１８０が販売価格追加決済購買者から購買取消応答を受信すると（Ｓ３１０）、イベント管理部１３０は、イベント成功の可否を確認する（Ｓ３２０）。イベント管理部１３０が、商品に対する決済（販売価格決済及び報奨金決済を全て含む。）により発行された決済確認証の数が販売目標数量に到逹したことを確認すると、イベントが成功したと判断し、発行された決済確認証の数が販売目標数量に到逹しなかったことを確認すると、イベントが失敗したと判断する。
【００９０】
イベントが成功した場合、利益金分配部１４０は、購買取消応答を行った販売価格追加決済購買者に販売価格から報奨金を減算した金額を払戻金として支給する（Ｓ３３０）。払戻金は、システム口座部１５０に格納された金額から引き出され、購買取消応答を行った販売価格追加決済購買者の現金口座に送信される。販売価格から報奨金を減算することは、報奨金が購買確定を行った他の購買者に支給されるイベント成功による分配利益金として使われるからである。販売価格追加決済購買者は、イベントが成功したにもかかわらず、購買を取り消すと、報奨金を損してしまうので、販売価格追加決済購買者が購買取消応答を選択し難くなるという効果もある。
【００９１】
利益金分配部１４０が購買確定応答を行った他の購買者に個別分配利益金を支給した後、イベント管理部１３０は、総販売金額（販売価格と購買確定数量を乗算した金額）から支給済み個別分配利益金の合を減算して精算した販売金額を、販売者の現金口座に支給し（Ｓ３５０）、システム口座部１５０に預け入れられたイベント預け金も販売者の現金口座に返金する（Ｓ３６０）。
【００９２】
ここで、購買確定管理部１８０が販売価格追加決済購買者から購買取消応答を受信し（Ｓ３１０）、イベント管理部１３０がイベント成功を確認した後（Ｓ３２０）、利益金分配部１４０が払戻金（販売価格から報奨金を減算した金額）を支給（Ｓ３３０）するものと説明しているが、購買確定管理部１８０が販売価格追加決済購買者から購買取消応答を受信すると、直ちに利益金分配部１４０が払戻金（販売価格から報奨金を減算した金額）を、購買取消応答を行った販売価格追加決済購買者に支給し、イベント管理部１３０がイベント成功の可否を確認し、イベントが成功していると、購買取消応答を行った販売価格追加決済購買者への報奨金の追加払戻しを行わない手順で進行してもよい。報奨金は、直ちに販売者に支給されてもよい。Ｓ３２０段階において、イベントが失敗した場合、利益金分配部１４０は、購買取消応答を行った販売価格追加決済購買者に販売価格に該当する金額を払戻金として支給する（Ｓ３４０）。払戻金は、システム口座部１５０に格納された金額から引き出され、購買取消応答を行った販売価格追加決済購買者の現金口座に送信される。販売価格から報奨金を減算しないことは、イベントの成功時、販売価格から報奨金を減算したことと反対の理由による。
【００９３】
イベント管理部１３０は、総販売金額（販売価格と購買確定数量を乗算した金額）を販売者の現金口座に支給し（Ｓ３５０）、システム口座部１５０に預け入れられたイベント預け金も販売者の現金口座に返金する（Ｓ３６０）。
【００９４】
ここで、購買確定管理部１８０が販売価格追加決済購買者から購買取消応答を受信し（Ｓ３１０）、イベント管理部１３０がイベント失敗を確認した後（Ｓ３２０）、利益金分配部１４０が払戻金（販売価格に該当する金額）を支給（Ｓ３４０）するものと説明しているが、購買確定管理部１８０が販売価格追加決済購買者から購買取消応答を受信すると、直ちに利益金分配部１４０が払戻金（販売価格から報奨金を減算した金額）を、購買取消応答を行った販売価格追加決済購買者に１次支給し、イベント管理部１３０がイベント成功の可否を確認し、イベントが失敗していると、購買取消応答を行った販売価格追加決済購買者に報奨金を２次支給する手順で進行してもよい。
【００９５】
図４は、本発明の一実施例に係る商品販売促進システムにおいて、商品が販売され、利益金が分配される過程を示すフローチャートであって、販売者が設定したイベントに対して購買者が販売価格を全て決済し、購買確定応答を行った場合を示す。
【００９６】
Ｓ１１０段階乃至Ｓ１４０段階までは、その構成が図２と同一であるので、重複する説明を省略し、図２のＳ１５０段階（図４のＳ４５０段階に対応する）から詳述する。
【００９７】
イベント管理部１３０によりベントが活性化すると（Ｓ１４０）、購買者は、購買者の端末２０を介して商品を購買することになる。購買者は、報奨金のみを決済してもよく、販売価格を全部決済してもよいが、以下では、購買者が販売価格を決済した場合について説明する。
【００９８】
購買者は、商品を購買するために、購買者の端末２０を介して商品決済部１２０が提供する決済画面において販売価格を決済し、商品決済部１２０により、販売価格決済代金は、システム口座部１５０に預け入れられる（Ｓ４５０）。ここで、販売価格決済代金は、購買者の電子マネー口座又は現金口座から引き出される現金、クレジットカード会社から送信されるカード売上金、携帯電話通信会社から送信される決済金等である。決済方式は、公知のオンライン決済方式であれば、いずれも適用可能であり、これについての詳細な説明を省略する。
【００９９】
販売価格の決済が行われると、イベント管理部１３０は、決済確認証を発行し、購買者の端末２０に送信する（Ｓ４６０）。
【０１００】
イベント管理部１３０が各購買者の決済確認証を発行する度に、イベント管理部１３０は、イベント成功の可否を確認する（Ｓ４７０）。これは、販売価格を決済した購買者により、販売目標数量が達成され、イベントが成功したかを確認するためである。販売価格を決済した購買者によりイベントが成功したことが確認されると、既に商品を購買し、購買確定応答を行った後、イベント成功を待っている他の購買者に分配利益金が分配され始める。
【０１０１】
配送管理部１７０は、販売価格を決済した購買者（以下、「販売価格決済購買者」という。）の配送住所と決済確認証を販売者の端末１０に送信し、販売者をして販売価格決済購買者に商品を配送させる（Ｓ４８０）。配送方法としては、宅配又は直接受領が可能であり、直接受領時は、販売価格決済購買者が提示する決済確認証のバーコードを販売者がスキャンして、本人確認を行った後、商品を販売価格決済購買者に伝達する。
【０１０２】
購買確定管理部１８０は、商品を配送され、又は商品を直接受領した販売価格決済購買者に購買確定要請を発送する（Ｓ４９０）。
【０１０３】
購買確定管理部１８０は、販売価格追加決済購買者から購買確定要請に対する応答を受信する（Ｓ５００）。購買確定要請に対する応答は、購買確定応答と購買取消応答のうち一つである。以下、購買確定要請に対する応答が購買確定応答である場合について説明する。
【０１０４】
購買確定管理部１８０が、販売価格決済購買者から購買確定応答を受信すると、イベント成功の可否を確認する（Ｓ５１０）。イベント管理部１３０が商品に対する決済（販売価格決済及び報奨金決済を全て含む。）により発行された決済確認証の数が販売目標数量に到逹したことを確認すると、イベントが成功したと判断し、利益金分配部１４０が、購買確定応答を行った販売価格決済購買者に分配利益金から計算された個別分配利益金を電子マネーで支給する（Ｓ５２０）。利益金分配部１４０は、分配利益金に対して分配利益金分配方式と分配利益金分配割合を適用して個別分配利益金を計算する。個別分配利益金は、システム口座部１５０に格納された金額から引き出され、購買確定応答を行った販売価格決済購買者の電子マネー口座に送信される。分配利益金は、電子マネーで支給されるものと説明しているが、購買確定応答を行った販売価格決済購買者の現金口座に現金で送信されることもできる。
【０１０５】
利益金分配部１４０が個別分配利益金を支給した後（Ｓ５２０）、イベント管理部１３０は、総販売金額（販売価格と購買確定数量を乗算した金額）から支給済み個別分配利益金の合を減算して精算した販売金額を、販売者の現金口座に支給し（Ｓ５３０）、システム口座部１５０に預け入れられたイベント預け金も販売者の現金口座に返金する（Ｓ５４０）。ここで、Ｓ５１０、Ｓ５２０、Ｓ５３０及びＳ５４０の段階は、順次進行するものと説明しているが、同時に進行しても、順序が入れ替えられて進行してもよい。
【０１０６】
Ｓ５１０段階において、イベント管理部１３０が商品に対する決済（販売価格決済及び報奨金決済を全て含む。）により発行された決済確認証の数が販売目標数量に到逹しなかったことを確認すると、イベントが失敗したことと判断する。イベントが失敗したら、個別分配利益金分配段階（Ｓ５２０）は実行されない。
【０１０７】
イベントが失敗した場合、イベント管理部１３０は、総販売金額（販売価格と購買確定数量を乗算した金額）を販売者の現金口座に支給し（Ｓ５３０）、システム口座部１５０に預け入れられたイベント預け金も販売者の現金口座に返金する（Ｓ５４０）。ここで、Ｓ５１０、Ｓ５３０及びＳ５４０の段階は、順次進行するものと説明しているが、同時に進行しても、順序が入れ替えられて進行してもよい。
【０１０８】
図５は、図４のＳ５００段階において、購買確定管理部１８０が販売価格決済購買者から購買取消応答を受信した場合を示すフローチャートであって、Ｓ１１０段階乃至Ｓ１４０段階とＳ４５０段階乃至Ｓ４９０段階までは、その構成が図４の構成と同一であるので、重複する説明を省略し、図４のＳ５００段階（図５のＳ６００段階に対応する）から詳述する。
【０１０９】
購買確定管理部１８０は、販売価格決済購買者に購買確定要請を発送する（Ｓ４９０）。
【０１１０】
購買確定管理部１８０は、販売価格決済購買者から購買確定要請に対する応答を受信する（Ｓ６００）。購買確定要請に対する応答は、購買確定応答と購買取消応答のうち一つである。以下、購買確定要請に対する応答が購買取消応答である場合について説明する。購買取消応答とは、購買した商品が満足でないとき、払い戻そうとする購買者の意思表示である。
【０１１１】
購買確定管理部１８０が販売価格決済購買者から購買取消応答を受信すると（Ｓ６００）、イベント管理部１３０は、イベント成功の可否を確認する（Ｓ６１０）。イベント管理部１３０が商品に対する決済（販売価格決済及び報奨金決済を全て含む。）により発行された決済確認証の数が販売目標数量に到逹したことを確認すると、イベントが成功したと判断し、発行された決済確認証の数が販売目標数量に到逹しなかったことを確認すると、イベントが失敗したと判断する。
【０１１２】
イベントが成功した場合、利益金分配部１４０は、購買取消応答を行った販売価格決済購買者に販売価格から報奨金を減算した金額を払戻金として支給する（Ｓ６２０）。払戻金は、システム口座部１５０に格納された金額から引き出され、購買取消応答を行った販売価格決済購買者の現金口座に送信される。販売価格から報奨金を減算することは、報奨金が購買確定を行った他の購買者に支給されるイベント成功による分配利益金として使われるからである。販売価格決済購買者は、イベントが成功したにもかかわらず、購買を取り消すと、報奨金を損してしまうので、販売価格決済購買者が購買取消応答を選択し難くなるという効果もある。
【０１１３】
利益金分配部１４０が購買確定応答を行った他の購買者に個別分配利益金を支給した後、イベント管理部１３０は、総販売金額（販売価格と購買確定数量を乗算した金額）から支給済み個別分配利益金の合を減算して精算した販売金額を、販売者の現金口座に支給し（Ｓ６４０）、システム口座部１５０に預け入れられたイベント預け金も販売者の現金口座に返金する（Ｓ６５０）。
【０１１４】
ここで、購買確定管理部１８０が販売価格決済購買者から購買取消応答を受信し（Ｓ６００）、イベント管理部１３０がイベント成功を確認した後（Ｓ６１０）、利益金分配部１４０が払戻金（販売価格から報奨金を減算した金額）を支給（Ｓ６２０）するものと説明しているが、購買確定管理部１８０が販売価格決済購買者から購買取消応答を受信すると、直ちに利益金分配部１４０が払戻金（販売価格から報奨金を減算した金額）を、購買取消応答を行った販売価格決済購買者に支給し、イベント管理部１３０がイベント成功の可否を確認し、イベントが成功していると、購買取消応答を行った販売価格決済購買者への報奨金の追加払戻しを行わない手順で進行してもよい。報奨金は、直ちに販売者に支給されてもよい。
【０１１５】
Ｓ６１０段階において、イベントが失敗した場合、利益金分配部１４０は、購買取消応答を行った販売価格決済購買者に販売価格に該当する金額を払戻金として支給する（Ｓ６３０）。払戻金は、システム口座部１５０に格納された金額から引き出され、購買取消応答を行った販売価格決済購買者の現金口座に送信される。販売価格から報奨金を減算しないことは、イベントの成功時、販売価格から報奨金を減算したことと反対の理由による。
【０１１６】
イベント管理部１３０は、総販売金額（販売価格と購買確定数量を乗算した金額）を販売者の現金口座に支給し（Ｓ６４０）、システム口座部１５０に預け入れられたイベント預け金も販売者の現金口座に返金する（Ｓ６５０）。
【０１１７】
ここで、購買確定管理部１８０が販売価格決済購買者から購買取消応答を受信し（Ｓ６００）、イベント管理部１３０がイベント失敗を確認した後（Ｓ６１０）、利益金分配部１４０が払戻金（販売価格に該当する金額）を支給（Ｓ６３０）するものと説明しているが、購買確定管理部１８０が販売価格決済購買者から購買取消応答を受信すると、直ちに利益金分配部１４０が払戻金（販売価格から報奨金を減算した金額）を、購買取消応答を行った販売価格決済購買者に１次支給し、イベント管理部１３０がイベント成功の可否を確認し、イベントが失敗していると、購買取消応答を行った販売価格決済購買者に報奨金を２次支給する手順で進行してもよい。
【０１１８】
本発明の一実施例に係る商品販売促進システム及び方法において、予想分配順位は、報奨金決済購買者及び販売価格決済購買者による購買確定応答の完了前も、算出が可能である。利益金分配部１４０は、イベント管理部１３０により決済確認証が発行される度に、リアルタイムで報奨金決済購買者及び販売価格決済購買者の予想分配順位を計算し、報奨金決済購買者及び販売価格決済購買者の端末２０に、リアルタイムの予想分配順位を送信することができる。
【０１１９】
この場合、利益金分配部１４０は、イベントが成功するまで、リアルタイムの予想分配順位を公開せず、イベントが成功した後、リアルタイムの予想分配順位を報奨金決済購買者及び販売価格決済購買者の端末２０に送信してもよい。この場合は、イベントが成功するまで、報奨金決済購買者及び販売価格決済購買者が自分のリアルタイムの予想分配順位がわからないので、不確実性が購買欲をさらに刺激し、これにより、さらに短期間にイベントが成功することになる。
【０１２０】
本発明の一実施例に係る商品販売促進システム及び方法において、分配利益金分配方式は、販売者により多様な方式が選択され得る。例えば、分配利益金分配方式として、決済順序（すなわち、決済確認証が発行された順序）により分配する方式、電子マネー保有量により分配する方式、販売価格を決済した順序により分配する方式、購買確定応答順序により分配する方式が選ばれ得る。
【０１２１】
決済順序により分配する方式は、購買確定応答を行った購買者（以下、「購買確定購買者」という。）を決済順序により順次配列する。ここで、決済は、報奨金決済と販売価格決済を全て含む。続いて、分配利益金に分配利益金分配割合を乗算して得られた第１の個別分配利益金を、最も早い決済を行った第１の購買確定購買者に支給し、次に、分配利益金から第１の個別分配利益金を減算して残った金額に分配利益金分配割合を乗算して得られた第２の個別分配利益金を、２番目に早い決済を行った第２の購買確定購買者に支給する。
【０１２２】
電子マネー保有量により分配する方式は、購買確定購買者のアカウントに割り当てられた電子マネー口座に積み立てられた電子マネー金額と、購買確定購買者が発行された決済確認証の個数を乗算した値（以下、「順位用電子マネー金額」という。）により、購買確定購買者を順次配列する。ここで、電子マネー口座には、購買確定購買者が現金を入金して追加された電子マネー、他のイベントから分配利益金として入金された電子マネーが存在する。続いて、分配利益金に分配利益金分配割合を乗算して得られた第１の個別分配利益金を、最も多くの順位用電子マネー金額を有した第１の購買確定購買者に支給し、次に、分配利益金から第１の個別分配利益金を減算して残った金額に分配利益金分配割合を乗算して得られた第２の個別分配利益金を、２番目に多くの順位用電子マネー金額を有した第２の購買確定購買者に支給する。例えば、一人の購買確定購買者が５つの決済確認証を発行された場合は、その購買確定購買者の順位用電子マネー金額は、（電子マネー保有量×５）と計算される。
【０１２３】
販売価格を決済した順序により分配する方式は、購買確定購買者を販売価格の決済順序により順次配列する。ここで、販売価格の決済は、報奨金の決済後、販売価格を決済した場合と、報奨金を決済せず、販売価格を全部決済した場合を全て含む。続いて、分配利益金に分配利益金分配割合を乗算して得られた第１の個別分配利益金を、最も早い販売価格決済を行った第１の購買確定購買者に支給し、次に、分配利益金から第１の個別分配利益金を減算して残った金額に分配利益金分配割合を乗算して得られた第２の個別分配利益金を、２番目に早い販売価格決済を行った第２の購買確定購買者に支給する。
【０１２４】
購買確定応答順序により分配する方式は、購買確定購買者を購買確定応答順序により順次配列する。続いて、分配利益金に分配利益金分配割合を乗算して得られた第１の個別分配利益金を、最も早い購買確定応答を行った第１の購買確定購買者に支給し、次に、分配利益金から第１の個別分配利益金を減算して残った金額に分配利益金分配割合を乗算して得られた第２の個別分配利益金を、２番目に早い購買確定応答を行った第２の購買確定購買者に支給する。
【０１２５】
前記分配利益金分配方式では、１番目及び２番目の購買確定購買者のみを挙げて説明しているが、後順位の購買確定購買者にも同一の方式で計算された個別分配利益金が支給される。例えば、第３の購買確定購買者には、分配利益金から第１の個別分配利益金と第２の分配利益金を減算して残った金額に分配利益金分配割合を乗算して得られた第３の個別分配利益金が支給されるであろう。
【０１２６】
もし、全ての購買確定購買者に個別分配利益金が支給されたにもかかわらず、分配利益金が残った場合は、分配利益金の残額に分配利益金分配割合を乗算して、第１の購買確定購買者から同一の方式で分配利益金分配を繰り返すことができる。しかし、分配利益金残額が所定の金額以下である場合は、利益金分配部１４０がその残額をシステム口座部１５０に送信し、分配利益金分配を終了することができる。
【０１２７】
本発明の一実施例に係る商品販売促進システム及び商品販売促進方法により得られる効果について、わかりやすい例を挙げて説明する。
【０１２８】
コンピューター製造会社であるＡ社のある販売代理店が、消費者価格が２，０００ドルであるノート型パソコンＸを販売してきている。この販売代理店のノート型パソコンＸの一月平均販売量は、５０台である。このノート型パソコンは、実際、オンラインマーケットにおいて１，８００ドルの最低価格で販売されている。
【０１２９】
この販売代理店は、本発明の一実施例に係る商品販売促進システムを用いて、ノート型パソコンＸをオンラインマーケットの最低価格である１，８００ドルで販売することに決め、下記の条件によりイベントを設定した。
−販売価格：１，８００ドル
−販売目標期間：１ヶ月
−販売目標数量：２，０００台
−報奨金：２０ドル
−イベントが成功したら購買者に分配すべき分配利益金：７８０，０００ドル
−分配利益金分配方式：購買確定購買者の電子マネー口座に積み立てられた電子マネー金額により分配
−分配利益金分配割合：０．１％
【０１３０】
この代理店は、従来の１ヶ月間得られた販売量よりも４０倍増加した販売量を、同期間のただ１ヶ月間に達成するようになるので、従来の１ヶ月間の現金流入である１００，０００ドルの販売金額よりも３，５１０，０００ドル（＝１，８００ドル×１，９５０台）の追加現金流入が発生することになる。これにより、この代理店は、追加現金流入の約２２％である７８０，０００ドルを分配利益金として購買者に分配することに決める（この代理店が、従来方式により１，９５０台のノート型パソコンＸをさらに売るためには、３年３月が所要するであろう）。
【０１３１】
Ｂの購買者は、２，０００名の購買者のうち、電子マネー口座の金額が１位であることに決められ、Ｃの購買者は、２番目順位であり、Ｄの購買者は、５００番目順位であり、Ｅの購買者は、２，０００番目順位である購買者になった。この場合、Ｂ、Ｃ、Ｄ及びＥが受けるべき電子マネーを計算すれば、下記の通りである。
［Ｂが受けるべき金額］：
個別分配利益金７８０ドル（＝分配利益金７８０，０００ドル×分配利益金分配割合０．１％）
［Ｃが受けるべき金額］：
個別分配利益金７７９ドル（＝分配利益金７８０，０００ドルから１番目の個別分配利益金７８０ドルを減算した金額７７９，２２０ドル×分配利益金分配割合０．１％）
［Ｄが受けるべき金額］：
個別分配利益金４７３ドル（＝分配利益金７８０，０００ドルから４９９番目までの個別分配利益金を減算した金額４７３，４４９ドル×分配利益金分配割合０．１％）
［Ｅが受けるべき金額］：
個別分配利益金１０６ドル（＝分配利益金７８０，０００ドルから１９９９番目までの個別分配利益金を減算した金額１０５，５６２ドル×分配利益金分配割合０．１％）
【０１３２】
Ｂ、Ｃ、Ｄ、Ｅは、それぞれ報奨金２０ドルを返金され、オンラインマーケットの最低価格である１，８００ドルと同じ価格でノート型パソコンＸを購買し、さらにはイベント成功により、それぞれ７８０ドル、７７９ドル、４７３ドル及び１０６ドルの個別分配利益金を電子マネーで分配されることになった。この電子マネーは、引出し手数料を支払い、電子マネー口座から現金口座に現金送信をし、又は電子マネー口座から直ちに現金引出しを行うことができるので、購買者の現金資産が増えることになる。また、今度の購買を通じて、分配された電子マネーにより、購買者の電子マネー保有順位が上昇するので、次の購買時、さらに多くの個別分配利益金を分配されることになる。
【０１３３】
購買者がクレジットカード会社から提供する無利子の分割払いプログラムを用いて決済すると、購買者が得る利益は極大化されるであろう。従来の購買システムでは、購買者が、２，０００ドルのノート型パソコンを買うためには、直ちに２，０００ドルを準備しなければならなかったので、負担を感じて購買しなくなるが、商品販売促進システム１００では、販売金額を無利子の分割払いで決済してから、個別分配利益金で分割払い金額を支払うことができるので、購買者の購買負担がなくなる。これは、時間の価値が電子マネーに転換されることにより得られることである。特に、販売者が分配利益金分配割合を高めると、上位購買者に分配利益金分配される金額が極めて大きくなり、会員の消費意思及びイベント参加意思がさらに大きくなることになる。これに関する例は、後述する。
【０１３４】
販売者の立場でも、短期間に従来の販売量とは比較できないほどの販売量を達成し、さらに大きな営業利益を得ることになり、分配利益金を分配しても、数ヶ月乃至数年の販売量を短期間に得ることができるので、損害が発生しない。また、イベント成功可能性を高めるために、販売者が分配利益金を高め、又は分配利益金分配割合を高めると、会員のイベント参加欲求を強く刺激することになるので、所望の販売目標数量を早くてかつ確実に達成することができるようになる。
【０１３５】
商品販売促進システムは、販売者がイベントを活性化させるとき、販売者から受けるシステム使用手数料、及び会員が電子マネー口座から電子マネーを引き出すとき、会員から受ける引出し手数料により収益を収めることができる。また、全世界の数多くの販売者が活性化させたイベントの数が数え切れないほど多くなると、イベントにより発生するシステム口座部の現金残高額が極めて大きな金額に維持されるので、システム使用手数料、引出し手数料、及びイベントによりシステム口座部に残っている現金残高額を用いて、電子マネー担保貸付や２次委託投資をして収益を収めることができることになる。
【０１３６】
会員は、電子マネー口座の電子マネーを引き出して現金化し、又は電子マネーを担保として商品販売促進システムから貸し出すことができるようになる。会員は、引出し手数料を出して現金化することができるが、この場合は、電子マネー口座の電子マネー保有量が減少して、イベントの分配利益金分配順位において不利益を被る恐れがある。これにより、電子マネー保有量を維持しながら現金化を可能にするために、商品販売促進システムが会員の電子マネーを担保とし、システム口座部の現金を用いて貸出金を支給するようになる。結局として、商品販売促進システムは、実質的に金融業を営むことになる。
【０１３７】
以下、本発明の一実施例に係る商品販売促進システム及び商品販売促進方法において、販売者が分配利益金及び分配利益金分配割合を増加させて得られるさらに向上した効果について、わかりやすい例を挙げて説明する。
【０１３８】
有名なフィットネスセンターＡ社において、消費者価格が３，０００ドルである３年会員証を販売してきている。このフィットネスセンターの３年会員証Ｘの一日最大販売量は、１０個である。この会員証は、実際、オンラインマーケットにおいて２，８００ドルの最低価格で販売されており、このフィットネスセンターの３年会員証Ｘを一つ販売する場合に得られる営業利益金は、１，６５０ドルである。
【０１３９】
このフィットネスセンターＡにおいて、本発明の一実施例に係る商品販売促進システムを用いて、３年会員証をオンラインマーケットの最低価格である２，８００ドルで販売することに決め、下記の条件によりイベントを設定した。
−販売価格：２，８００ドル
−販売目標期間：１日
−販売目標数量：1，０００個
−報奨金：1，３００ドル
−イベントが成功したら購買者に分配すべき分配利益金：1，３００，０００ドル
−分配利益金分配方式：購買確定購買者の決済順序により分配
−分配利益金分配割合：０．６％
【０１４０】
このフィットネスセンターは、従来、１日間の最大販売量よりも１００倍増加した販売量を、同期間のただ1日間に達成するようになるので、従来の1日間の現金流入である３０，０００ドルの販売金額よりも２，７７２，０００ドル（＝２，８００ドル×９９０個）の追加現金流入が発生することになる。
【０１４１】
また、1日間の営業利益金は、従来の１６，５００ドルよりも１，６３３，５００ドル（＝1，６５０ドル×９９０個）の追加営業利益金の流入が発生することになる。
【０１４２】
これにより、このフィットネスセンターは、追加営業利益金流入の約７８％である１，３００，０００ドルを分配利益金として購買者に分配することに決める（このフィットネスセンターが、従来方式により９９０個の３年会員証をさらに売るためには、少なくとも約３ヶ月が所要し、約３ヶ月後も９９０個の３年会員証を全て販売するという保証もない）。
【０１４３】
Ｂの購買者は、1，０００名の購買者のうち、決済した順序が１位であることに決められ、Ｃの購買者は、２番目順位であり、Ｄの購買者は、５００番目順位であり、Ｅの購買者は、1，０００番目順位である購買者になった。この場合、Ｂ、Ｃ、Ｄ及びＥが受けるべき電子マネーを計算すれば、下記の通りである。
［Ｂが受けるべき金額］：
個別分配利益金７，８００ドル（＝分配利益金１，３００，０００ドル×分配利益金分配割合０．６％）
［Ｃが受けるべき金額］：
個別分配利益金７，７５３ドル（＝分配利益金１，３００，０００ドルから１番目の個別分配利益金７，８００ドルを減算した金額１２，９２２，００ドル×分配利益金分配割合０．６％）
［Ｄが受けるべき金額］：
個別分配利益金３８７ドル（＝分配利益金１，３００，０００ドルから４９９番目までの個別分配利益金を減算した金額６４，５２８ドル×分配利益金分配割合０．６％）
［Ｅが受けるべき金額］：
個別分配利益金１９ドル（＝分配利益金１，３００，０００ドルから９９９番目までの個別分配利益金を減算した金額３，１８４ドル×分配利益金分配割合０．６％）
【０１４４】
Ｂ、Ｃ、Ｄ、Ｅは、それぞれ報奨金１，３００ドルを返金され、オンラインマーケットの最低価格である２，８００ドルと同じ価格でフィットネスセンターの３年会員証Ｘを購買し、さらにはイベント成功により、それぞれ７，８００ドル、７，７５３ドル、３８７ドル及び１９ドルの個別分配利益金を電子マネーで分配されることになった。
【０１４５】
この電子マネーは、引出し手数料を支払い、電子マネー口座から現金口座に現金送信をし、又は電子マネー口座から直ちに現金引出しを行うことができるので、購買者の現金資産が増えることになる。特に、分配利益金分配順位が１、２位であるＢ及びＣは、３年会員証Ｘの価格を除いてもかえってお金を儲けることになる。消費により、富が増えたことである。
【０１４６】
上述した２つの例を通じて、本発明の一実施例に係る商品販売促進システム１００が消費を通じて富を増やす消費テク（消費＋財テク）システムを提供することが確認され、消費すればするほど富が増大するので、消費、取引、回転率が極大化され、従来とは異なる新たな経済パラダイムに進入することができることになる。
【０１４７】
以上、具体的な実施例について説明したが、本発明の範囲を逸脱しない範囲内で様々な変形が可能であるのは、通常の技術者にとって自明であろう。
【図１】
2019508806.tif 000003
【図２】
2019508806.tif 000004
【図３】
2019508806.tif 000005
【図４】
2019508806.tif 000006
【図５】
2019508806.tif 000007
【国際調査報告】
2019508806.tif 000008
2019508806.tif 000009
2019508806.tif 000010
2019508806.tif 000011